(57)【特許請求の範囲】
【請求項１】
聴診音について聴診音データファイルを生成する聴診部位マッピングシステムで用いられる端末装置であって、
聴診音を録音する際に、表示部に人体を模した図を表示し、聴診する人体の部位と位置が特定されると、録音された聴診音データに、録音日時のデータ、患者の部位のデータ、人体の位置のデータ、入力された患者ＩＤのデータを含むファイル名を生成して、聴診音データファイルを生成することを特徴とする端末装置。
【請求項２】
聴診音データファイルのファイル名に、機器種別のデータ、端末個体シリアルＩＤのデータ、チェックデジットを含めることを特徴とする請求項１記載の端末装置。
【請求項３】
請求項１又は２記載の端末装置と、
聴診音データを取得して前記端末装置に送信するデジタル聴診器と、
前記端末装置で生成された聴診音データファイルを収集する聴診音収集サーバとを有することを特徴とする聴診部位マッピングシステム。
【請求項４】
聴診音収集サーバは、収集した聴診音データファイルについて、当該ファイルのファイル名から録音日時のデータ、患者の部位のデータ、人体の位置のデータ、患者ＩＤのデータを読み取り、表示部に表示することを特徴とする請求項３記載の聴診部位マッピングシステム。
【請求項５】
聴診部位マッピングシステムで用いられる端末装置で動作するアプリであって、
聴診音を録音する際に、表示部に人体を模した図を表示し、聴診する人体の部位と位置が特定されると、録音された聴診音データに、録音日時のデータ、患者の部位のデータ、人体の位置のデータ、入力された患者ＩＤのデータを含むファイル名を生成して、聴診音データファイルを生成するよう機能させることを特徴とする聴診音データ生成アプリ。
【発明の詳細な説明】
【技術分野】
【０００１】
本発明は、聴診音データを生成するシステムに係り、特に、聴診器で収集した聴診音について収集日時、患者の身体の位置等の情報を関連付けることができる聴診部位マッピングシステム及び聴診音データ生成アプリに関する。
【背景技術】
【０００２】
［従来の技術］
従来の聴診装置は、患者の聴診音を検出して、患者の健康状態を認識するものがあった。
【０００３】
［関連技術］
尚、関連する先行技術文献として、特開２００８−１１３９３９号公報「生体音聴診装置」（特許文献１）、特表２００８−５２８１２４号公報「音声認識を使用した聴診音の分析」（特許文献２）、特表２０１８−５０４７２２号公報「心拍の変化に応答するパーソナルセーフティー／セキュリティモバイルアプリケーション」（特許文献３）、国際公開第２０１７／１４５９３０号「医療検査装置用情報処理装置」（特許文献４）がある。
【０００４】
特許文献１には、患者の生体音をモニタし、モニタしたデータから患者の状態を判定する装置が記載されている。
特許文献２には、聴診音を音声認識して音声認識係数を生成し、当該係数を多次元空間に定義された疾病領域の組に対してマッピングする方法が記載されている。
【０００５】
特許文献３には、心拍モニタを用いて正常範囲外を検出し、携帯されるカメラ、マイクロホン等を駆動し、保護される人の責任者に得られたデータを送信して通知するアプリが記載されている。
特許文献４には、人体の３次元画像のシェーマ図と、撮影方向・撮影範囲を示す撮影視点マーカを表示し、シェーマ図と撮影視点マーカの状態を変化させる処理装置が記載されている。
【先行技術文献】
【特許文献】
【０００６】
【特許文献１】特開２００８−１１３９３９号公報
【特許文献２】特表２００８−５２８１２４号公報
【特許文献３】特表２０１８−５０４７２２号公報
【特許文献４】国際公開第２０１７／１４５９３０号
【発明の概要】
【発明が解決しようとする課題】
【０００７】
しかしながら、上記従来の聴診音処理装置では、聴診した音に基づいて患者の健康状態を認識するものであるが、収集した聴診音データを効率的に識別してその利用を促進するものとはなっていないという問題点があった。
【０００８】
尚、特許文献１〜４には、聴診音データに収集日時、患者の身体の位置等の情報を関連付けた聴診音データファイルを生成することについての記載がない。
【０００９】
本発明は上記実状に鑑みて為されたものであり、聴診器で収集された聴診音データに収集日時、患者の身体の位置等の情報を関連付けた聴診音データファイルを生成し、聴診音データの利用を促進できる聴診部位マッピングシステム及び聴診音データ生成アプリを提供することを目的とする。
【課題を解決するための手段】
【００１０】
上記従来例の問題点を解決するための本発明は、聴診音について聴診音データファイルを生成する聴診部位マッピングシステムで用いられる端末装置であって、聴診音を録音する際に、表示部に人体を模した図を表示し、聴診する人体の部位と位置が特定されると、録音された聴診音データに、録音日時のデータ、患者の部位のデータ、人体の位置のデータ、入力された患者ＩＤのデータを含むファイル名を生成して、聴診音データファイルを生成することを特徴とする。
【００１１】
本発明は、上記端末装置において、聴診音データファイルのファイル名に、機器種別のデータ、端末個体シリアルＩＤのデータ、チェックデジットを含めることを特徴とする。
【００１２】
本発明は、聴診部位マッピングシステムにおいて、上記端末装置と、聴診音データを取得して端末装置に送信するデジタル聴診器と、端末装置で生成された聴診音データファイルを収集する聴診音収集サーバとを有することを特徴とする。
【００１３】
本発明は、上記聴診部位マッピングシステムにおいて、聴診音収集サーバが、収集した聴診音データファイルについて、当該ファイルのファイル名から録音日時のデータ、患者の部位のデータ、人体の位置のデータ、患者ＩＤのデータを読み取り、表示部に表示することを特徴とする。
【００１４】
本発明は、聴診部位マッピングシステムで用いられる端末装置で動作するアプリであって、聴診音を録音する際に、表示部に人体を模した図を表示し、聴診する人体の部位と位置が特定されると、録音された聴診音データに、録音日時のデータ、患者の部位のデータ、人体の位置のデータ、入力された患者ＩＤのデータを含むファイル名を生成して、聴診音データファイルを生成するよう機能させることを特徴とする。
【発明の効果】
【００１５】
本発明によれば、聴診音について聴診音データファイルを生成する聴診部位マッピングシステムにおいて、聴診音を録音する際に、表示部に人体を模した図を表示し、聴診する人体の部位と位置が特定されると、録音された聴診音データに、録音日時のデータ、患者の部位のデータ、人体の位置のデータ、入力された患者ＩＤのデータを含むファイル名を生成して、聴診音データファイルを生成する端末装置としているので、聴診音データをファイル名で患者、収集日時、収集部位の位置を識別でき、聴診音データの利用を促進できる効果がある。
【図面の簡単な説明】
【００１６】
【図１】本システムの概略構成図である。
【図２】デジタル聴診器の構成ブロック図である。
【図３】端末装置の構成ブロック図である。
【図４】端末装置での処理を示す概略画面の図である。
【図５】端末装置での処理フロー図である。
【図６】聴診音収集サーバの表示画面の図である。
【発明を実施するための形態】
【００１７】
本発明の実施の形態について図面を参照しながら説明する。
［実施の形態の概要］
本発明の実施の形態に係る聴診部位マッピングシステム（本システム）は、タブレット、スマートフォン等の端末装置に人体のシェーマ図を表示させ、聴診器で収集した部位の位置、収集日時、患者ＩＤ（識別番号）、医師のコメント等の情報を入力すると、収集した聴診音データに対してそれら情報を含むファイル名を生成し、そのファイル名を有する聴診音データファイルを生成するものであり、聴診音データをファイル名で患者、収集日時、収集部位の位置等を識別でき、聴診音データの利用を促進できるものである。
【００１８】
また、本発明の実施の形態に係る聴診音データ生成アプリ（アプリケーション）(本アプリ）は、本システムで利用される端末装置で動作するもので、聴診音の収集日時、患者ＩＤ、聴診音を収集した部位の位置等を入力し、それらの情報からファイル名を生成し、収集した聴診音データのファイル名として聴診音データのファイルを生成するものであり、聴診音データの利用を促進できるものである。
【００１９】
［本システム：図１］
本システムについて図１を参照しながら説明する。図１は、本システムの概略構成図である。
本システムは、図１に示すように、デジタル聴診器１と、タブレット、スマートフォン等の端末装置２と、聴診音収集サーバ３と、ネットワーク４とを備えている。
【００２０】
［本システムの各部］
本システムの各部について具体的に図面を参照しながら説明する。図２は、デジタル聴診器の構成ブロック図であり、図３は、端末装置の構成ブロック図である。
［デジタル聴診器１：図２］
デジタル聴診器１は、図２に示すように、聴診音を入力する入力部１１と、入力した聴診音のアナログ音信号をデジタル音データ（聴診音データ）に変換する第１の変換部１２と、聴診音データを端末装置２に送信する送信部１３と、聴診音データをアナログ音信号に変換する第２の変換部１４と、そのアナログ音信号を増幅して出力する増幅部１５と有している。図示していないが、増幅部１５にはスピーカーが接続され、医師が聴診音を聞くことができるようになっている。
【００２１】
［端末装置２：図３］
端末装置２は、タブレット、スマートフォン等の本アプリが動作する端末装置である。
端末装置２は、図３に示すように、デジタル聴診器１の送信部１３から聴診音データを受信する受信部２１と、本アプリの操作によって聴診音データを録音して聴診音データファイルを生成する制御部２２と、聴診音データファイルを記憶する記憶部２３と、聴診音データを聴診音収集サーバ３に送信する送信部２４と、人体を模したシェーマ図を表示する表示部２５と、人体の部位を特定（マッピング）する入力部２６とを備えている。尚、表示部２５と入力部２６とは、タッチパネルを用いている。
【００２２】
端末装置２は、記憶部２３に本アプリが記憶され、制御部２２で本アプリが動作することで特徴的な処理を実現している。
そして、制御部２２で生成された聴診音データファイルは、送信部２４からネットワーク４を介して聴診音収集サーバ３に提供される。聴診音データファイルの具体的な生成方法は後述する。
【００２３】
［聴診音収集サーバ３：図１］
聴診音収集サーバ３は、ネットワーク４に接続するコンピュータ装置であり、端末装置２から提供された聴診音データファイルを記憶し、聴診音データファイルを分析するものである。
【００２４】
具体的には、聴診音収集サーバ３は、図１に示すように、制御部３１と、記憶部３２と、インタフェース部３３とを備え、表示部３４と入力部３５が接続されている。
制御部３１は、記憶部３２に記憶された処理プログラムを読み込んで実行し、表示部３４に処理結果を表示する。表示部３４での表示例については後述する。
また、インタフェース部３３は、ネットワーク４、表示部３４、入力部３５に接続している。
【００２５】
［ネットワーク４］
ネットワーク４は、端末装置２と聴診音収集サーバ３とを接続するものである。ネットワーク４としては、クローズであっても、オープンであってもよい。オープンなネットワークの場合は、ネットワーク４を流れる聴診音データファイルは暗号化される。
尚、端末装置２とネットワーク４とは、例えば、無線ＬＡＮ（Local Area Network／Ｗｉ−Ｆｉ）で接続され、デジタル聴診器１と端末装置２とは、デジタル機器用近距離無線通信で接続される。
【００２６】
［端末装置２での処理：図４，５］
端末装置２での処理について図４，５を参照しながら説明する。図４は、端末装置での処理を示す概略画面の図であり、図５は、端末装置での処理フロー図である。
本アプリが起動すると、制御部２２は、図４（ａ）に示すように、表示部２５に人体を模したシェーマ図を表示する（Ｓ１）。
聴診音データを録音する前に、患者ＩＤや聴診器の機器種別を設定しておく。この設定は、録音後に行ってもよい。
【００２７】
そして、図４（ｂ）に示すように、聴診器を当てて聴診する部位を画面上で特定し（Ｓ２）、更に、図４（ｃ）に示すように、聴診器を当てる患者の人体の位置を画面上で指定（マッピング）して（Ｓ３）、聴診音の録音を開始する（Ｓ４）と、制御部２２は、指定された箇所を人体の部位と位置のデータに変換する（Ｓ５）。
【００２８】
更に、聴診音の録音を終了する指示が入力されたか否かを判定し（Ｓ６）、終了指示が入力されると（Ｙｅｓの場合）、録音された聴診音データに、録音日時を示す録音終了時の日時のデータ（録音開始時の日時のデータであってもよい）、患者ＩＤのデータ、機器種別のデータ、端末個体シリアルＩＤのデータ、患者の部位のデータ、人体の位置のデータ（座標データ）、チェックデジット等を含むファイル名を生成して、聴診音データファイルを生成する（Ｓ７）。
ファイル名には、全角１０文字までの医師のコメントを追加できるようになっている。
【００２９】
具体的な聴診音データフォーマットを説明する。
基本情報は、４１バイトで表現し、チェックデジットとして１バイトを付加して４２バイトとし、拡張として１０文字のテキストを含めることができる。テキスト部分は省略することができる。
【００３０】
まず、最初の１４バイトが録音日時、次の８バイトが患者ＩＤ、次の３バイトがメーカー種別、モデル、リビジョンを示し、次の５バイトが端末個体シリアルＩＤ、次の１バイトが腹側、背側、未指定を示し、次の２バイトが部位となる頭部、胸部、腹部、右上肢、左上肢、両下肢、未設定を示し、次の４バイトがＸ座標、次の４バイトがＹ座標を示し、次の１バイトがチェックデジットを示し、次に全角テキスト１０文字までを追加可能としている。
尚、チェックデジットとして、セブンチェック（７ＤＲ）方式を用いているが、その他の方式であってもよい。
【００３１】
［聴診音収集サーバでの処理：図６］
聴診音収集サーバ３は、端末装置２から提供された聴診音データファイルをネットワーク４に接続するインタフェース部３３から入力し、記憶部３２に記憶する。また、聴診音収集サーバ３は、表示部３４と入力部３５を備えている。
【００３２】
そして、聴診音収集サーバ３の制御部３１は、図６に示すように、聴診音データファイルを記憶部３２から読み込むと、ファイル名を識別して表示部３４に測定部位及び位置を示すシェーマ図と日時、患者ＩＤ、体面、部位、備考等を表示し、聴診音データを再生できるようになっている。
尚、備考は、医師が入力したコメントである。
【００３３】
また、聴診音収集サーバ３の制御部３１は、記憶部３２に記憶された聴診音データファイルを分析する。
ここで、聴診音データファイルは、録音日時、患者ＩＤ、患者の人体の部位、位置をファイル名から識別できるので、ファイル名だけで聴診音データの属性を判別でき、分類・分析等の利用が容易で聴診音データの活用を促進できるものである。
また、聴診音収集サーバ３の制御部３１は、表示部３４にシェーマ図を表示し、その上に、患者について録音された複数の聴診音データの、人体の部位、位置の点を表示して、それらの点のいずれかが選択されると、図６の右側のデータを表示して聴診音を再生するようにしても構わない。
【００３４】
［応用例］
本システムでは、聴診音データのファイル生成について説明したが、聴診音（呼吸音）以外の人体の音（例えば、心拍音、脈拍音等）についてのデータファイル生成に応用してもよい。
更に、聴診音の代わりに、カメラで撮影された静止画、動画のデータについて、本アプリで録画日時、患者ＩＤ、機種、患者の人体の部位、位置を指定して、画像データファイルを生成することに応用してもよい。つまり、ファイル名を生成する技術を用いて、画像データに当該ファイル名を付与して画像データファイルを生成するものである。
【００３５】
［実施の形態の効果］
本システムによれば、タブレット、スマートフォン等の端末装置２に人体のシェーマ図を表示させ、デジタル聴診器１で収集した人体の部位の位置、収集日時、患者ＩＤ（識別番号）、医師のコメント等の情報を入力すると、収集した聴診音データに対してそれら情報をファイル名とする聴診音データファイルを生成するものであり、聴診音データをファイル名で患者、収集日時、収集部位の位置等を識別でき、聴診音データの利用を促進できる効果がある。
【００３６】
また、本アプリは、端末装置２で動作するもので、デジタル聴診器１で収集された聴診音の収集日時、患者ＩＤ、聴診音を収集した部位の位置等を入力し、それらの情報からファイル名を生成し、収集した聴診音データのファイル名として聴診音データのファイルを生成するものであり、聴診音データに録音日時、患者ＩＤ等と関連付けることができ、聴診音データを有効に活用できる効果がある。
【産業上の利用可能性】
【００３７】
本発明は、聴診器で収集された聴診音データに収集日時、患者の身体の位置等の情報を関連付けた聴診音データファイルを生成し、聴診音データの利用を促進できる聴診部位マッピングシステム及び聴診音データ生成アプリに好適である。
【符号の説明】
【００３８】
１…デジタル聴診器、  ２…端末装置、  ３…聴診音収集サーバ、  ４…ネットワーク、  １１…入力部、  １２…第１の変換部、  １３…送信部、  １４…第２の変換部、  １５…増幅部、  ２１…受信部、  ２２…制御部、  ２３…記憶部、  ２４…送信部、  ２５…表示部、  ２６…入力部、  ３１…制御部、  ３２…記憶部、  ３３…インタフェース部、  ３４…表示部、  ３５…入力部
【図１】
0006934256.tif 000002
【図２】
0006934256.tif 000003
【図３】
0006934256.tif 000004
【図４】
0006934256.tif 000005
【図５】
0006934256.tif 000006
【図６】
0006934256.tif 000007